(57)【要約】【課題】機密画像が形成されたシートが裏紙として用いられる場合に、前記シートに対する処理を前記機密画像の内容に応じて変更できること。【解決手段】プリント装置４０は、プリント位置においてシートの第１面に画像を形成する。イメージセンサー５は、前記プリント位置よりも前記シートの搬送方向の上流側の位置で前記シートの第２面の画像を読み取る。機密画像検出部は、前記イメージセンサーによる読取画像から予め定められた機密画像を検出する。前記分類判定部は、前記読取画像から前記機密画像が検出された場合に、検出された前記機密画像が予め定められた複数の分類条件のいずれを満たすかを判定する。前記プリント制御部は、予め前記複数の分類条件に対応付けられた前記シートの処理に関する複数の機密対応制御のうち、検出された前記機密画像が満たした前記分類条件に対応する前記機密対応制御を実行する。【選択図】図１
2020116931.tif 000002
【特許請求の範囲】
【請求項１】
主搬送路に沿ってシートを搬送し、さらに前記シートを前記主搬送路からシート受け部へ排出するシート搬送装置と、
前記主搬送路のプリント位置において前記シートの第１面に画像を形成するプリント装置と、
前記主搬送路における前記プリント位置よりも前記シートの搬送方向の上流側の位置で前記シートの第２面の画像を読み取るイメージセンサーと、
前記イメージセンサーによる読取画像から予め定められた機密画像を検出する機密画像検出部と、
前記読取画像から前記機密画像が検出された場合に、検出された前記機密画像が予め定められた複数の分類条件のいずれを満たすかを判定する分類判定部と、
予め前記複数の分類条件に対応付けられた前記シートの処理に関する複数の機密対応制御のうち、検出された前記機密画像が満たした前記分類条件に対応する前記機密対応制御を実行するプリント制御部と、を備える画像形成装置。
【請求項２】
前記複数の分類条件が、前記機密画像の種類の条件を含む、請求項１に記載の画像形成装置。
【請求項３】
ユーザーを認証するユーザー認証部と、
認証された前記ユーザーの所属部署を表すユーザー部署情報を特定するユーザー部署特定部と、
前記読取画像から使用済み文書の担当部署を表す旧文書部署情報を検出する旧文書部署検出部と、をさらに備え、
前記複数の分類条件が、前記機密画像の種類と前記ユーザー部署情報と前記旧文書部署情報との組合せの条件を含む、請求項１または請求項２に記載の画像形成装置。
【請求項４】
前記シートの第１面への出力対象画像から新文書の担当部署を表す新文書部署情報を検出する新文書部署検出部と、
前記読取画像から使用済み文書の担当部署を表す旧文書部署情報を検出する旧文書部署検出部と、をさらに備え、
前記複数の分類条件が、前記機密画像の種類と前記旧文書部署情報と前記新文書部署情報との組合せの条件を含む、請求項１から請求項３のいずれか１項に記載の画像形成装置。
【請求項５】
前記複数の機密対応制御が、前記シートに出力対象画像を形成する通常プリント処理を前記プリント装置に実行させず、もしくは、前記通常プリント処理を前記プリント装置に中止させ、前記シート搬送装置に前記読取画像から前記機密画像が検出されない場合と異なる態様で前記シートを前記シート受け部へ排出させる制御を含む、請求項１から請求項４のいずれか１項に記載の画像形成装置。
【請求項６】
前記複数の機密対応制御が、前記シートの前記第１面に出力対象画像と予め定められた注意画像とを形成する処理を前記プリント装置に実行させる制御を含む、請求項１から請求項５のいずれか１項に記載の画像形成装置。
【請求項７】
前記シート搬送装置は、前記プリント位置を通過した前記シートをその前後の向きを反転させた上で、前記主搬送路に並列の復搬送路に沿って前記主搬送路における前記プリント位置よりも前記搬送方向の上流側の合流位置へ搬送し、再び前記主搬送路に沿って搬送する反転搬送を実行可能であり、
前記複数の機密対応制御が、前記シートの前記第１面に出力対象画像を形成する通常プリント処理を前記プリント装置に実行させ、さらに前記シート搬送装置に前記反転搬送を実行させるとともに前記シートの前記第２面に予め定められた上書き画像を形成する処理を前記プリント装置に実行させる制御を含む、請求項１から請求項６のいずれか１項に記載の画像形成装置。
【発明の詳細な説明】
【技術分野】
【０００１】
本発明は、シートの裏面の機密画像を検出可能な画像形成装置に関する。
【背景技術】
【０００２】
プリンター、複写機または複合機などの画像形成装置において、既に片面に画像が形成された用紙である裏紙が用いられることがある。
【０００３】
また、前記画像形成装置が、機密情報を含む機密画像をシートのオモテ面に形成する場合に、パターン画像を前記シートのウラ面に形成することが知られている（例えば、特許文献１参照）。これにより、前記機密画像が形成された前記シートが、裏紙として用いられることが回避される。
【先行技術文献】
【特許文献】
【０００４】
【特許文献１】特開２００５−２６９４３２号公報
【発明の概要】
【発明が解決しようとする課題】
【０００５】
ところで、前記機密画像が形成されたシートが前記裏紙として用いられる場合がある。この場合、前記機密画像の内容に応じて、前記シートについての許容される取り扱われ方が異なることが考えられる。
【０００６】
また、前記裏紙として用いられる前記シートを、既に形成されている前記機密画像の内容に応じて予め分別する作業は手間である。
【０００７】
本発明の目的は、機密画像が形成されたシートが裏紙として用いられる場合に、前記シートに対する処理を前記機密画像の内容に応じて変更できる画像形成装置を提供することにある。
【課題を解決するための手段】
【０００８】
本発明の一の局面に係る画像形成装置は、シート搬送装置と、プリント装置と、イメージセンサーと、機密画像検出部と、分類判定部と、プリント制御部と、を備える。前記シート搬送装置は、主搬送路に沿ってシートを搬送し、さらに前記シートを前記主搬送路からシート受け部へ排出する。前記プリント装置は、前記主搬送路のプリント位置において前記シートの第１面に画像を形成する。前記イメージセンサーは、前記主搬送路における前記プリント位置よりも前記シートの搬送方向の上流側の位置で前記シートの第２面の画像を読み取る。前記機密画像検出部は、前記イメージセンサーによる読取画像から予め定められた機密画像を検出する。前記分類判定部は、前記読取画像から前記機密画像が検出された場合に、検出された前記機密画像が予め定められた複数の分類条件のいずれを満たすかを判定する。前記プリント制御部は、予め前記複数の分類条件に対応付けられた前記シートの処理に関する複数の機密対応制御のうち、検出された前記機密画像が満たした前記分類条件に対応する前記機密対応制御を実行する。
【発明の効果】
【０００９】
本発明によれば、機密画像が形成されたシートが裏紙として用いられる場合に、前記シートに対する処理を前記機密画像の内容に応じて変更できる画像形成装置を提供することが可能になる。
【図面の簡単な説明】
【００１０】
【図１】図１は、本発明の実施形態に係る画像形成装置の構成図である。
【図２】図２は、本発明の実施形態に係る画像形成装置における制御装置の構成を示すブロック図である。
【図３】図３は、本発明の実施形態に係る画像形成装置における裏紙プリント制御の手順の一例を示すフローチャートである。
【発明を実施するための形態】
【００１１】
以下、図面を参照しながら、本発明の実施形態について説明する。なお、以下の実施形態は、本発明を具体化した一例であって、本発明の技術的範囲を限定するものではない。
【００１２】
本発明の実施形態に係る画像形成装置は、シート９に画像を形成するプリント処理を実行する装置である。
【００１３】
［画像形成装置１０の構成］
図１に示される例では、画像形成装置１０は、電子写真方式で前記プリント処理を実行する。シート９は、用紙または封筒などのシート状の画像形成媒体である。
【００１４】
なお、画像形成装置１０が、インクジェット方式などの他の方式で前記プリント処理を実行する装置であることも考えられる。
【００１５】
画像形成装置１０は、それぞれ本体部１内に設けられたシート搬送装置３およびプリント装置４０などを備える。さらに、画像形成装置１０は、シート９が収容される１つ以上のシート収容部２、操作装置８０１および表示装置８０２も備える。
【００１６】
操作装置８０１は、ユーザーの操作を受け付ける装置である。例えば、操作装置８０１は、押しボタンおよびタッチパネルの一方または両方を含む。また、表示装置８０２は、情報を表示するパネル表示ユニットを含む。
【００１７】
シート搬送装置３は、本体部１内の主搬送路３０１に沿ってシート９を搬送し、さらにシート９を主搬送路３０１から排出トレイ１ｘへ排出する。シート搬送装置３は、シート収容部２に収容されたシート９を主搬送路３０１へ送り出す送出ローラー対３０を備える。
【００１８】
さらに、シート搬送装置３は、シート９を挟んで回転することによってシート９を主搬送路３０１に沿って搬送する複数組の主搬送ローラー対３１と、シートセンサー３２とを備える。複数組の主搬送ローラー対３１は、レジストローラー対３１ｘおよび排出ローラー対３１ｙを含む。
【００１９】
レジストローラー対３１ｘは、シート９の搬送を一時停止させ、主搬送路３０１におけるプリント位置３０ａへシート９を送るタイミングを調整する。レジストローラー対３１ｘの停止および始動は、シートセンサー３２によってシート９が検出されるタイミングに基づいて制御される。
【００２０】
排出ローラー対３１ｙは、主搬送路３０１の出口であるシート排出口３０ｂに配置されている。排出ローラー対３１ｙは、正回転することによってシート９を主搬送路３０１からシート排出口３０ｂを通じて排出トレイ１ｘ上へ排出する。排出トレイ１ｘは、主搬送路３０１から排出されるシート９を受けるシート受け部の一例である。
【００２１】
以下の説明においてシート９が主搬送路３０１に沿ってシート９の入口からプリント位置３０ａを経てシート排出口３０ｂへ向かう方向のことを順搬送方向Ｄｉ１と称する。また、シート搬送装置３による順搬送方向Ｄｉ１へのシート９の搬送のことを順搬送と称する。
【００２２】
プリント装置４０は、主搬送路３０１のプリント位置３０ａにおいてシート９の第１面に画像を形成する。
【００２３】
プリント装置４０は、作像装置４、光走査装置４６、転写装置４７および定着装置４８を備える。作像装置４は、ドラム状の感光体４１、帯電装置４２、現像装置４３およびドラムクリーニング装置４５などを含む。
【００２４】
図１に示される画像形成装置１０は、タンデム式のカラー画像形成装置である。そのため、プリント装置４０は、複数の色のトナーに対応した複数の作像装置４を備える。さらに、転写装置４７は、中間転写ベルト４７１と、複数の作像装置４に対応する複数のベルト転写装置４７２と、シート転写装置４７３とを備える。
【００２５】
プリント装置４０は、イエロー、シアン、マゼンタおよびブラックの４色の前記トナーに対応する４つの作像装置４および４つのベルト転写装置４７２を備える。
【００２６】
作像装置４において、感光体４１が回転し、帯電装置４２が感光体４１の表面を帯電させる。さらに、光走査装置４６が、レーザー光の走査によって感光体４１の表面に静電潜像を書き込む。さらに、現像装置４３が、前記静電潜像をトナー像として現像する。
【００２７】
転写装置４７において、ベルト転写装置４７２各々が、感光体４１各々の表面の前記トナー像を中間転写ベルト４７１の表面へ転写する。これにより、中間転写ベルト４７１の表面にカラーの前記トナー像が形成される。
【００２８】
シート転写装置４７３は、中間転写ベルト４７１に形成された前記トナー像を、プリント位置３０ａにおいてシート９に転写する。定着装置４８は、主搬送路３０１におけるプリント位置３０ａよりも順搬送方向Ｄｉ１の下流側の位置に配置されている。定着装置４８は、シート９に転写された前記トナー像を、加熱および加圧することによってシート９に定着させる。
【００２９】
定着装置４８を通過した画像形成後のシート９は、正回転する排出ローラー対３１ｙによってシート排出口３０ｂを通じて排出トレイ１ｘ上へ排出される。
【００３０】
シート搬送装置３は、経路切替装置３３および複数組の復搬送ローラー対３４をさらに備える。経路切替装置３３は、制御装置８の制御に従って、シート９の案内方向が異なる第１状態および第２状態の一方から他方へ切り替わる。
【００３１】
複数組の復搬送ローラー対３４は、第１モーターＭ１によって回転駆動される。なお、制御装置８は、第２モーターＭ２を制御することによってレジストローラー対３１ｘの回転を制御する。同様に、制御装置８は、第３モーターＭ３を制御することによって排出ローラー対３１ｙの回転を制御する。さらに、制御装置８は、第１モーターＭ１を制御することによって残りの主搬送ローラー対３１および復搬送ローラー対３４の回転を制御する。
【００３２】
前記第１状態は、プリント位置３０ａから順搬送方向Ｄｉ１へ搬送されてくるシート９を排出ローラー対３１ｙへ案内する状態である。前記第２状態は、排出ローラー対３１ｙから逆搬送されてくるシート９を主搬送路３０１に並列の復搬送路３０２へ案内する状態である。
【００３３】
復搬送路３０２は、主搬送路３０１におけるプリント位置３０ａとシート排出口３０ｂとの間の分岐位置３０ｃからプリント位置３０ａよりも順搬送方向Ｄｉ１の上流側の合流位置３０ｄに至るシート搬送路である。
【００３４】
従って、シート９の後端寄りの部分が排出ローラー対３１ｙに到達したときに、経路切替装置３３が前記第１状態から前記第２状態へ切り替わるとともに排出ローラー対３１ｙが逆回転することにより、プリント位置３０ａを通過したシート９は、その前後の向きが反転された上で復搬送路３０２へ搬送される。
【００３５】
複数組の復搬送ローラー対３４は、シート９を復搬送路３０２に沿って分岐位置３０ｃから合流位置３０ｄを経由して主搬送路３０１へ搬送する。
【００３６】
即ち、シート搬送装置３は、プリント位置３０ａを通過したシート９をその前後の向きを反転させた上で、復搬送路３０２に沿って主搬送路３０１の合流位置３０ｄへ搬送し、再び主搬送路３０１に沿って搬送することができる。シート搬送装置３によるこの搬送のことを反転搬送と称する。
【００３７】
シート搬送装置３は、複数組の搬送ローラー対の駆動源である第１モーターＭ１、第２モーターＭ２および第３モーターＭ３をさらに備える。第１モーターＭ１は、レジストローラー対３１ｘおよび排出ローラー対３１ｙを除く残りの主搬送ローラー対３１を回転駆動する。
【００３８】
第２モーターＭ２は、レジストローラー対３１ｘを回転駆動する。第３モーターＭ３は、排出ローラー対３１ｙを回転駆動する。第３モーターＭ３が正回転することによって排出ローラー対３１ｙが正回転し、第３モーターＭ３が逆回転することによって排出ローラー対３１ｙが逆回転する。
【００３９】
画像形成装置１０が、シート９の両面への前記プリント処理を行う両面プリントモードで動作する場合、シート搬送装置３は、シート９を順搬送し、さらに排出トレイ１ｘへ排出する前に反転搬送した上で、排出トレイ１ｘへ排出する。
【００４０】
一方、画像形成装置は、シート９の片面のみへの前記プリント処理を行う片面プリントモードで動作する場合、シート搬送装置３は、シート９を順搬送し、そのまま排出トレイ１ｘへ排出する。
【００４１】
画像形成装置１０において、既に片面に画像が形成されたシート９である裏紙が用いられることがある。例えば、前記裏紙が、複数のシート収容部２のうちの１つに収容される。
【００４２】
［制御装置８］
制御装置８は、前記プリント処理などに関する各種のデータ処理を実行し、さらに、各種の電気機器を制御する。
【００４３】
図２に示されるように、制御装置８は、ＣＰＵ（Central Processing Unit）８０、ＲＡＭ（Random Access Memory）８１、二次記憶装置８２および通信装置８３などを備える。
【００４４】
通信装置８３は、不図示のネットワークを通じて他装置との通信を行う。ＣＰＵ８０は、前記他装置との間のデータの送信および受信の全てを通信装置８３を通じて実行する。
【００４５】
ＣＰＵ８０は、プログラムを実行することにより、主制御部８ａ、プリント制御部８ｂ、画像データ処理部８ｃおよびユーザー認証部８ｄなどとして動作する。
【００４６】
主制御部８ａは、操作装置８０１に対する操作に応じたジョブの選択処理および各種データの設定処理などを実行する。
【００４７】
例えば、主制御部８ａは、操作装置８０１に対する操作に従って、前記裏紙を収容するシート収容部２を特定する情報である裏紙収容データＤ１を設定し、設定した裏紙収容データＤ１を二次記憶装置８２に記憶させる。
【００４８】
プリント制御部８ｂは、前記プリント処理の対象となる画像データに関する各種の制御を実行する。画像データ処理部８ｃは、前記プリント処理の対象となる画像データに対して加工処理およびデータ変換処理などの各種のデータ処理を実行する。
【００４９】
例えば、前記プリント対象の画像データは、前記他装置から通信装置８３を通じて受信されるデータ、または、予め二次記憶装置８２に記憶されたデータである。
【００５０】
ユーザー認証部８ｄは、ユーザーを認証するユーザー認証処理を実行する。前記ユーザー認証処理において、ユーザー認証部８ｄは、操作装置８０１に対する操作、または、通信装置８３を通じた他装置との通信により入力される入力認証データが、予め二次記憶装置８２に記憶されている複数の登録認証データＤ０１のいずれかに該当するか否かを判定する。
【００５１】
登録認証データＤ０１は、複数の登録ユーザーの認証に関するデータである。例えば、登録認証データＤ０１は、ユーザーＩＤおよびパスワードなどを含む。
【００５２】
前記入力認証データが、複数の登録認証データＤ０１のいずれかに該当することが、認証成功を意味する。ユーザー認証部８ｄは、前記ユーザー認証処理の結果が前記認証成功である場合にのみ、操作装置８０１に対するプリント開始操作、または、前記他装置から通信装置８３を通じて受信されるプリント要求に応じた前記プリント処理の実行を許容する。
【００５３】
二次記憶装置８２は、複数の登録認証データＤ０１とそれら登録認証データＤ０１に対応づけられた複数の登録ユーザーデータＤ０２を含む登録データＤ０を予め記憶している。登録ユーザーデータＤ０２は、前記登録ユーザーの名前および所属部署などの情報を含む。
【００５４】
二次記憶装置８２は、コンピューター読み取り可能な不揮発性の記憶装置である。二次記憶装置８２は、ＣＰＵ８０により実行されるプログラムおよびＣＰＵ８０により参照される各種のデータを記憶する。例えば、フラッシュメモリーまたはハードディスクドライブの一方または両方が、二次記憶装置８２として採用される。
【００５５】
ＲＡＭ８１は、コンピューター読み取り可能な揮発性の記憶装置である。ＲＡＭ８１は、ＣＰＵ８０が実行するプログラムおよびＣＰＵ８０が前記プログラムを実行する過程で出力および参照するデータを一次記憶する。
【００５６】
ところで、機密情報を含む機密画像が形成されたシート９が前記裏紙として用いられる場合がある。この場合、前記機密画像の内容に応じて、シート９についての許容される取り扱われ方が異なることが考えられる。
【００５７】
また、前記裏紙として用いられるシート９を、既に形成されている前記機密画像の内容に応じて予め分別する作業は手間である。
【００５８】
本実施形態において、画像形成装置１０は、イメージセンサー５をさらに備える。イメージセンサー５は、主搬送路３０１におけるプリント位置３０ａよりも順搬送方向Ｄｉ１の上流側の位置でシート９の第２面の画像を読み取る。
【００５９】
イメージセンサー５は、シート９の前記第２面における幅方向に沿うライン画像を連続的に読み取るラインイメージセンサーである。シート９の第２面は、プリント装置４０によって画像が形成される前記第１面に対し反対の面である。
【００６０】
例えば、イメージセンサー５は、ＣＩＳ（Contact Image Sensor）である。以下の説明において、イメージセンサー５によってシート９の前記第２面から読み取られる画像のことを読取画像と称する。
【００６１】
前記読取画像のデータは、ＣＰＵ８０へ伝送され、画像データ処理部８ｃによって処理される。
【００６２】
図１に示される例では、イメージセンサー５は、主搬送路３０１におけるレジストローラー対３１ｘの位置とプリント位置３０ａとの間の位置に配置されている。
【００６３】
また、画像形成装置１０において、ＣＰＵ８０が、前記読取画像のデータを用いて、後述する裏紙プリント制御を実行する。これにより、画像形成装置１０は、前記機密画像が形成されたシート９が裏紙として用いられる場合に、シート９に対する処理を前記機密画像の内容に応じて変更できる。
【００６４】
ＣＰＵ８０は、前記裏紙プリント制御を実行するために、前記プログラムを実行することによって機密画像検出部８ｅ、旧文書部署検出部８ｆ、新文書部署検出部８ｇおよび分類判定部８ｈとしても動作する。
【００６５】
［裏紙プリント制御］
以下、図３に示されるフローチャートを参照しつつ、前記裏紙プリント制御の手順の一例について説明する。
【００６６】
例えば、主制御部８ａは、予め前記片面プリントモードが動作モードとして選択されている状況下で、前記裏紙を収容するシート収容部２をシート９の供給元とする前記プリント処理のジョブを受け付けた場合に、前記裏紙プリント制御を開始する。
【００６７】
本実施形態では、ＣＰＵ８０は、１ページ分の前記プリント処理ごとに図３に示される手順の前記裏紙プリント制御を実行する。以下の説明において、Ｓ１，Ｓ２，…は、前記裏紙プリント制御における複数の工程の識別符号を表す。
【００６８】
＜工程Ｓ１＞
前記裏紙プリント制御において、主制御部８ａは、イメージセンサー５による画像の読み取りタイミングが到来するまで待機する。
【００６９】
前記読み取りタイミングは、シート９の先端がイメージセンサー５の位置に到達するタイミングである。主制御部８ａは、レジストローラー対３１ｘが一時停止した後に始動してからの経過時間により、前記読み取りタイミングを検知する。
【００７０】
主制御部８ａは、前記読み取りタイミングが到来したときに、処理を工程Ｓ２へ移行させる。
【００７１】
＜工程Ｓ２＞
工程Ｓ２において、主制御部８ａが、イメージセンサー５にシート９から画像を読み取る処理を実行させる。これにより、ＣＰＵ８０は、前記読取画像のデータを取得する。
【００７２】
＜工程Ｓ３＞
次に、機密画像検出部８ｅが、イメージセンサー５による前記読取画像から予め定められた機密画像を検出する処理を実行する。
【００７３】
例えば、前記機密画像が、取扱注意、社外被、部外秘または極秘などの機密情報を表す透かし画像、または、スタンプ画像などであることが考えられる。複数の前記機密画像を特定する情報である複数の登録機密画像データＤ２が、二次記憶装置８２に予め記憶されている。
【００７４】
機密画像検出部８ｅは、複数の登録機密画像データＤ２のいずれかにより特定される画像に対して予め定められた近似条件を満たす画像を前記機密画像として前記読取画像が検出する。
【００７５】
そして、機密画像検出部８ｅは、前記読取画像から前記機密画像を検出できた場合に、処理を工程Ｓ５へ移行させ、前記機密画像を検出できない場合に、処理を工程Ｓ４へ移行させる。
【００７６】
前記複数の登録機密画像データＤ２は、予め実行される機密画像データ登録処理により設定され、二次記憶装置８２に記録される。
【００７７】
例えば、前記機密画像データ登録処理は、サンプル機密画像が形成されたシート９がシート収容部２に収容された状態で開始される。前記機密画像データ登録処理において、主制御部８ａが、操作装置８０１に対する操作に従って前記機密画像の種類を特定する機密種類情報を設定する。
【００７８】
さらに、前記機密画像データ登録処理において、プリント制御部８ｂが、シート搬送装置３にシート９を順搬送する処理を実行させるとともに、イメージセンサー５にシート９から前記サンプル機密画像を読み取る処理を実行させる。
【００７９】
そして、画像データ処理部８ｃが、前記読取画像における前記サンプル機密画像を特定するデータと、そのデータに対応する前記機密種類情報とを、登録機密画像データＤ２として二次記憶装置８２に記憶させる。
【００８０】
＜工程Ｓ４＞
工程Ｓ４において、プリント制御部８ｂが、通常プリント制御を実行する。そのご、プリント制御部８ｂは、前記裏紙プリント制御を終了させる。
【００８１】
前記通常プリント制御は、通常プリント処理をプリント装置４０に実行させ、さらにシート搬送装置３に前記順搬送を実行させることによってシート９を排出トレイ１ｘへ排出させる制御である。
【００８２】
前記通常プリント処理は、シート９の前記第１面に出力対象画像を形成する処理である。前記出力対象画像は、前記プリント開始操作または前記プリント要求により、シート９の前記第１面に形成すべき画像として予め指定される画像である。
【００８３】
＜工程Ｓ５＞
一方、工程Ｓ５において、旧文書部署検出部８ｆが、前記読取画像から使用済み文書の担当部署を表す旧文書部署情報を検出する処理を実行する。前記使用済み文書は、前記裏紙として利用される前のシート９である。
【００８４】
例えば、工程Ｓ５において、旧文書部署検出部８ｆは、前記読取画像から、複数の登録ユーザーデータＤ０２に含まれる全ての前記所属部署のいずれかを表す文字列画像を検出する処理を実行する。
【００８５】
そして、旧文書部署検出部８ｆは、処理を工程Ｓ５から工程Ｓ６へ移行させる。
【００８６】
＜工程Ｓ６＞
工程Ｓ６において、新文書部署検出部８ｇが、シート９の前記第１面への前記出力対象画像から新文書の担当部署を表す新文書部署情報を検出する処理を実行する。
【００８７】
前記新文書は、前記出力対象画像がシート９の前記第１面に形成されることにより得られる印刷物である。
【００８８】
例えば、工程Ｓ６において、新文書部署検出部８ｇは、前記出力対象画像から、複数の登録ユーザーデータＤ０２に含まれる全ての前記所属部署のいずれかを表す文字列画像を検出する処理を実行する。
【００８９】
そして、新文書部署検出部８ｇは、処理を工程Ｓ６から工程Ｓ７へ移行させる。
【００９０】
＜工程Ｓ７＞
工程Ｓ７において、ユーザー認証部８ｄが、前記ユーザー認証処理により認証された前記ユーザーの所属部署を表すユーザー部署情報を特定する。
【００９１】
ユーザー認証部８ｄは、前記ユーザー認証処理において前記入力認証データと合致した登録認証データＤ０１に対応する登録ユーザーデータＤ０２に含まれる所属部署の情報を前記ユーザー部署情報として特定する。
【００９２】
そして、ユーザー認証部８ｄは、処理を工程Ｓ７から工程Ｓ８へ移行させる。なお、工程Ｓ８の処理を実行するユーザー認証部８ｄは、前記ユーザー部署情報を特定するユーザー部署特定部の一例である。即ち、ユーザー認証部８ｄは、前記ユーザー部署特定部を兼ねる。
【００９３】
＜工程Ｓ８＞
一方、工程Ｓ８において、分類判定部８ｈが、分類判定処理を実行する。その後、分類判定部８ｈは、処理を工程Ｓ９へ移行させる。
【００９４】
前記分類判定処理は、工程Ｓ３で検出された前記機密画像が予め定められた複数の分類条件のいずれを満たすかを判定する処理である。
【００９５】
分類判定部８ｈは、予め設定される前記複数の分類条件を表す複数の分類条件データＤ３に基づいて、前記分類判定処理を実行する。
【００９６】
例えば、前記複数の分類条件が、前記機密画像の種類の条件を含むことが考えられる。この場合、前記機密画像の種類が、取扱注意、社外秘、部外秘または極秘などであることが考えられる。
【００９７】
具体的には、前記複数の分類条件が、前記機密画像の種類が前記取扱注意または前記社外秘である、という第１分類条件と、前記機密画像の種類が前記部外秘である、という第２分類条件と、前記機密画像の種類が前記極秘である、という第３分類条件とを含むことが考えられる。
【００９８】
また、前記複数の分類条件が、前記機密画像の種類と、工程Ｓ７で特定される前記ユーザー部署情報と、工程Ｓ５で特定される前記旧文書部署情報との組合せの条件を含むことも考えられる。
【００９９】
具体的には、前記複数の分類条件が、前記機密画像の種類が前記部外秘であり、かつ、前記ユーザー部署情報と前記旧文書部署情報とが一致する、という第４分類条件を含むことが考えられる。
【０１００】
さらに、前記複数の分類条件が、前記機密画像の種類が前記部外秘であり、かつ、前記ユーザー部署情報と前記旧文書部署情報とが一致しない、という第５分類条件を含むことが考えられる。
【０１０１】
また、前記複数の分類条件が、前記機密画像の種類と、工程Ｓ５で検出される前記旧文書部署情報と、工程Ｓ６で特定される前記新文書部署情報との組合せの条件を含むことも考えられる。
【０１０２】
具体的には、前記複数の分類条件が、前記機密画像の種類が前記部外秘であり、かつ、前記旧文書部署情報と前記新文書部署情報とが一致する、という第６分類条件を含むことが考えられる。
【０１０３】
さらに、前記複数の分類条件が、前記機密画像の種類が前記部外秘であり、かつ、前記旧文書部署情報と前記新文書部署情報とが一致しない、という第７分類条件を含むことが考えられる。
【０１０４】
前記複数の分類条件を表す前記複数の分類条件データＤ３は、予め主制御部８ａにより実行される分類条件設定処理により設定され、二次記憶装置８２に記録される。主制御部８ａは、操作装置８０１に対する操作に従って分類条件データＤ３を設定する。
【０１０５】
分類判定部８ｈは、工程Ｓ３で検出される前記機密画像に対応する登録機密画像データＤ２を特定し、特定した登録機密画像データＤ２に含まれる前記機密種類情報が表す種類を、前記分類条件における前記機密画像の種類として特定する。
【０１０６】
＜工程Ｓ９＞
工程Ｓ９において、プリント制御部８ｂが、予め二次記憶装置８２に記憶される制御ルールデータＤ４に基づいて、工程Ｓ８で満たすと判定された前記分類条件に対応する機密対応制御を実行する。その後、プリント制御部８ｂは、前記裏紙プリント制御を終了させる。
【０１０７】
前記機密対応制御は、シート９の処理に関する制御である。本実施形態において、前記機密対応制御は、シート９の搬送、または、シート９に対する画像の形成に関する制御である。
【０１０８】
制御ルールデータＤ４は、複数の分類条件データＤ３と予め定められた前記複数の機密対応制御との対応関係を表すデータである。例えば、主制御部８ａが、操作装置８０１に対する設定操作に従って、予め制御ルールデータＤ４を設定する。
【０１０９】
例えば、前記複数の機密対応制御は、以下に示される第１機密対応制御、第２機密対応制御および第３機密対応制御のうちの１つまたは複数を含む。
【０１１０】
前記第１機密対応制御は、前記通常プリント処理をプリント装置４０に実行させず、もしくは、前記通常プリント処理をプリント装置４０に中止させ、シート搬送装置３に工程Ｓ４の前記通常プリント制御が実行される場合と異なる態様でシート９を排出トレイ１ｘに排出させる制御である。
【０１１１】
例えば、プリント制御部８ｂは、前記通常プリント制御が実行されるときよりも排出ローラー対３１ｙを高速で正回転させることにより、前記通常プリント制御において排出されるシート９に対して位置をずらしてシート９を排出トレイ１ｘに排出させる。
【０１１２】
また、画像形成装置１０が複数の排出トレイ１ｘを備える場合、プリント制御部８ｂは、前記通常プリント制御が実行されるときのシート９の排出先とは異なる排出トレイ１ｘへシート９を排出する処理をシート搬送装置３に実行させる。
【０１１３】
前記第２機密対応制御は、シート９の前記第１面に前記出力対象画像と予め定められた注意画像とを形成する処理をプリント装置４０に実行させる制御である。前記注意画像は、前記第２面に前記機密画像が形成されたシート９の取り扱いに注意を要することを通知する画像である。
【０１１４】
前記第３機密対応制御は、前記通常プリント処理をプリント装置４０に実行させ、さらにシート搬送装置３に前記反転搬送を実行させるとともにシート９の前記第２面に予め定められた上書き画像を形成する処理をプリント装置４０に実行させる制御である。
【０１１５】
前記上書き画像は、既にシート９の前記第２面に形成されている画像に上書きされる画像であり、塗り画像または予め定められたパターン画像である。
【０１１６】
以上に示されるように、分類判定部８ｈは、前記読取画像から前記機密画像が検出された場合に、検出された前記機密画像が予め定められた複数の前記分類条件のいずれを満たすかを判定する（工程Ｓ８）。
【０１１７】
また、プリント制御部８ｂは、予め前記複数の分類条件に対応付けられた複数の前記機密対応制御のうち、検出された前記機密画像が満たした前記分類条件に対応する前記機密対応制御を実行する（工程Ｓ９）。
【０１１８】
従って、画像形成装置１０は、前記機密画像が形成されたシート９が前記裏紙として用いられる場合に、シート９に対する処理を前記機密画像の内容に応じて変更できる。
【０１１９】
前記機密画像の内容に応じて、シート９についての許容される取り扱われ方が異なる場合に、画像形成装置１０の採用が好適である。
【０１２０】
［応用例］
画像形成装置１０が、主搬送路３０１から排出されるシート９を受けるシート受け部として、シート回収トレイを備えることも考えられる。前記シート回収トレイは、物理的な鍵または操作装置８０１に入力されるパスワードなどによってアクセスが制限されるトレイである。
【０１２１】
そして、前記複数の機密対応制御が、シート搬送装置３に、シート９を前記シート回収トレイへ排出させる処理を実行させる制御を含むことが考えられる。
【符号の説明】
【０１２２】
１      ：本体部
１ｘ    ：排出トレイ
２      ：シート収容部
３      ：シート搬送装置
４      ：作像装置
５      ：イメージセンサー
８      ：制御装置
８ａ    ：主制御部
８ｂ    ：プリント制御部
８ｃ    ：画像データ処理部
８ｄ    ：ユーザー認証部
８ｅ    ：機密画像検出部
８ｆ    ：旧文書部署検出部
８ｇ    ：新文書部署検出部
８ｈ    ：分類判定部
９      ：シート
１０    ：画像形成装置
３０    ：送出ローラー対
３０ａ  ：プリント位置
３０ｂ  ：シート排出口
３０ｃ  ：分岐位置
３０ｄ  ：合流位置
３１    ：主搬送ローラー対
３１ｘ  ：レジストローラー対
３１ｙ  ：排出ローラー対
３２    ：シートセンサー
３３    ：経路切替装置
３４    ：復搬送ローラー対
４０    ：プリント装置
４１    ：感光体
４２    ：帯電装置
４３    ：現像装置
４５    ：ドラムクリーニング装置
４６    ：光走査装置
４７    ：転写装置
４８    ：定着装置
８０    ：ＣＰＵ
８１    ：ＲＡＭ
８２    ：二次記憶装置
８３    ：通信装置
３０１  ：主搬送路
３０２  ：復搬送路
４７１  ：中間転写ベルト
４７２  ：ベルト転写装置
４７３  ：シート転写装置
８０１  ：操作装置
８０２  ：表示装置
Ｄ０    ：登録データ
Ｄ０１  ：登録認証データ
Ｄ０２  ：登録ユーザーデータ
Ｄ１    ：裏紙収容データ
Ｄ２    ：登録機密画像データ
Ｄ３    ：分類条件データ
Ｄ４    ：制御ルールデータ
Ｄｉ１  ：順搬送方向
Ｍ１    ：第１モーター
Ｍ２    ：第２モーター
Ｍ３    ：第３モーター
【図１】
2020116931.tif 000003
【図２】
2020116931.tif 000004
【図３】
2020116931.tif 000005